(57)【特許請求の範囲】
【請求項１】
装置本体内のセット位置と前記装置本体の側方から引き出される引き出し位置との間で移動自在に設けたドラムと、このドラムがセット位置に位置するか否かを検出するドラムセット検出手段と、前記ドラムをセット位置にロックするドラムロック機構と、前記装置本体の上面のセット位置と前記装置本体内を解放する解放位置との間で移動自在に設けた原稿台と、この原稿台がセット位置に位置するか否かを検出する原稿台セット検出手段と、前記原稿台をセット位置にロックする原稿台ロック機構とを有し、
前記ドラムセット検出手段又は前記原稿台セット検出手段の検出出力より前記ドラムと前記原稿台のいずれか一方がセット位置に位置しない場合には、他方の前記原稿台ロック機構又は前記ドラムロック機構のロックを解除しないことを特徴とする印刷装置。
【請求項２】
装置本体内のセット位置と前記装置本体の側方から引き出される引き出し位置との間で移動自在に設けたドラムと、このドラムがセット位置に位置するか否かを検出するドラムセット検出手段と、前記ドラムをセット位置にロックするドラムロック機構と、架台給紙装置本体内のセット位置と前記架台給紙装置本体の側方から引き出される引き出し位置との間で移動自在に設けた架台トレイと、この架台トレイがセット位置に位置するか否かを検出する架台トレイセット検出手段と、前記架台トレイをセット位置にロックする架台トレイロック機構とを有し、前記ドラムを引き出す前記装置本体の面と、前記架台トレイを引き出す架台給紙装置本体の面が同一であり、
前記ドラムセット検出手段又は前記架台トレイセット検出手段の検出出力より前記ドラムと前記架台トレイのいずれか一方がセット位置に位置しない場合には、他方の前記架台トレイロック機構又は前記ドラムロック機構のロックを解除しないことを特徴とする印刷装置。
【請求項３】
装置本体の上面のセット位置と前記装置本体内を解放する解放位置との間で移動自在に設けた原稿台と、この原稿台がセット位置に位置するか否かを検出する原稿台セット検出手段と、前記原稿台をセット位置にロックする原稿台ロック機構と、架台給紙装置本体内のセット位置と前記架台給紙装置本体の側方から引き出される引き出し位置との間で移動自在に設けた架台トレイと、この架台トレイがセット位置に位置するか否かを検出する架台トレイセット検出手段と、前記架台トレイをセット位置にロックする架台トレイロック機構とを有し、
前記原稿台セット検出手段又は前記架台トレイセット検出手段の検出出力より前記原稿台と前記架台トレイのいずれか一方がセット位置に位置しない場合には、他方の前記架台トレイロック機構又は前記原稿台ロック機構のロックを解除しないことを特徴とする印刷装置。
【請求項４】
装置本体内のセット位置と前記装置本体の側方から引き出される引き出し位置との間で移動自在に設けたドラムと、このドラムがセット位置に位置するか否かを検出するドラムセット検出手段と、前記ドラムをセット位置にロックするドラムロック機構と、前記装置本体の上面のセット位置と前記装置本体内を解放する解放位置との間で移動自在に設けた原稿台と、この原稿台がセット位置に位置するか否かを検出する原稿台セット検出手段と、前記原稿台をセット位置にロックする原稿台ロック機構と、架台給紙装置本体内のセット位置と前記架台給紙装置本体の側方から引き出される引き出し位置との間で移動自在に設けた架台トレイと、この架台トレイがセット位置に位置するか否かを検出する架台トレイセット検出手段と、前記架台トレイをセット位置にロックする架台トレイロック機構とを有し、前記ドラムを引き出す前記装置本体の面と、前記架台トレイを引き出す架台給紙装置本体の面が同一であり、
前記ドラムセット検出手段又は前記原稿台セット検出手段又は前記架台トレイセット検出手段の検出出力より前記ドラムと前記原稿台と前記架台トレイのいずれか１つがセット位置に位置しない場合には、他の２つの前記原稿台ロック機構又は前記架台トレイロック機構又は前記ドラムロック機構のロックを解除しないことを特徴とする印刷装置。
【請求項５】
前記架台給紙装置本体に設けた前記架台トレイは複数であり、この内の１つでもセット位置に位置しない場合には他の前記ドラムロック機構又は前記原稿台ロック機構のロックを解除せず、又、前記ドラム又は前記原稿台がセット位置に位置しない場合には全ての架台トレイロック機構のロックを解除しないことを特徴とする請求項４に記載の印刷装置。
【請求項６】
前記ドラムを引き出す前記装置本体の面と、前記架台トレイを引き出す架台給紙装置本体の面が同一であり、複数の前記架台トレイのいずれか１つがセット位置に位置しない場合には、他の前記架台トレイの架台トレイロック機構のロックを解除しないことを特徴とする請求項５に記載の印刷装置。
【請求項７】
前記ドラムを引き出す前記装置本体の面と、前記架台トレイを引き出す架台給紙装置本体の面が同一であり、前記装置本体に設けた前記ドラムは複数であり、この内の１つでもセット位置に位置しない場合には他の前記架台トレイロック機構又は前記原稿台ロック機構のロックを解除せず、又、前記架台トレイ又は前記原稿台がセット位置に位置しない場合には全てのドラムロック機構のロックを解除しないことを特徴とする請求項４に記載の印刷装置。
【請求項８】
複数の前記ドラムのいずれか１つがセット位置に位置しない場合には、他の前記ドラムのドラムロック機構のロックを解除しないことを特徴とする請求項７に記載の印刷装置。
【請求項９】
サービスマンモードが選択されると、各セット検出手段の検出結果に拘わらず各ロック機構のロックを解除することを特徴とする請求項１、請求項２、請求項３、請求項４、請求項５、請求項６、請求項７、又は請求項８に記載の印刷装置。
【発明の詳細な説明】
【０００１】
【発明の属する技術分野】
本発明は、ドラムの引き出しや原稿台の開閉や架台トレイの引き出しができる印刷装置に関し、特に、印刷装置の転倒を防止する技術に係わる。
【０００２】
【従来の技術】
例えば孔版印刷装置は、印刷すべき原稿のデータを読み取る原稿読み取り部と、この原稿読み取り部で読み取ったデータに基づいて孔版原紙に穿孔する製版部と、この製版部で製版された孔版原紙をドラムに装着し、回転するドラムに印刷圧を作用させながら印刷用紙を搬送して孔版原紙の画像を印刷用紙に転写する印刷部と、この印刷部にドラムの回転に同期させて印刷用紙を供給する給紙部と、前記印刷部で印刷された印刷用紙を排紙する排紙部とを備えている。
【０００３】
そして、図１０及び図１１に示すように、原稿読み取り部１００は、原稿を載置するガラス製の原稿台１００ａと、この原稿台１００内に内蔵のスキャナー（図示せず）と、原稿台１００ａの上面に開閉自在に配置され、原稿を押さえる原稿押え板１００ｂとを有している。原稿台１００ａは、原稿を載置するスキャナー面を確保するため装置本体１０１の上面に配置され、且つ、装置本体１０１の上面のセット位置（図１０及び図１１の実線位置）と装置本体１０１内を解放する解放位置（図１０及び図１１の仮想線位置）との間で回転自在に設けられている。つまり、孔版原紙の交換やジャム時等に、操作者が原稿台１００ａを開いて各々の対応作業ができるようになっている。
【０００４】
ドラム１０２は、装置本体１０１内のセット位置（図１０の実線位置及び図１１の破線位置）と装置本体１０１の側方から引き出される引き出し位置（図１１の仮想線位置）との間でスライド自在に設けられている。つまり、多色印刷時等のドラム交換やインクボトル１０３の交換や印刷用紙１０４のジャム時等に、操作者がドラム１０２を引き出して各々の対応作業ができるようになっている。
【０００５】
又、装置本体１０１の下方には２つの架台トレイ１０５を有する架台給紙装置１０６が装着され、この架台トレイ１０５には装置本体１０１の給紙トレイ１０７とは異なる紙種や紙サイズの印刷用紙１０４が収容されたり、同一用紙をセットして連続給紙させる等、適宜に所望の印刷用紙１０４を印刷部に給紙できるようになっている。そして、架台トレイ１０５は架台給紙装置本体１０８内のセット位置（図１０及び図１１の実線位置）と架台給紙装置本体１０８の側方から引き出される引き出し位置（図１１の仮想線位置）との間でスライド自在に設けられている。つまり、印刷用紙１０４の補給や交換を行う場合に、操作者が架台トレイ１０５を引き出して各々の作業ができるようになっている。
【０００６】
【発明が解決しようとする課題】
ところで、原稿台１００ａが解放位置に位置すると、装置全体としての重心位置が上方に移動し、又、ドラム１０２が引き出し位置に位置すると、装置全体としての重心位置が引き出し方向に移動し、又、架台トレイ１０５が引き出し位置に位置すると、装置全体としての重心位置が引き出し方向に移動し、装置の安定性を多少なりとも損なう状態となる。そのため、原稿台１００ａが解放位置に位置する場合や、ドラム１０２が引き出し位置に位置する場合や、架台トレイ１０５が引き出し位置に位置する場合の個々に対しては、転倒のおそれがないように充分な安定性が確保されるように設計される。
【０００７】
しかし、これらの条件が競合する場合、つまり、図１２の如く原稿台１００ａが解放位置で、ドラム１０２が引き出し位置の場合や、図１３の如くドラム１０２が引き出し位置で、架台トレイ１０５が引き出し位置の場合や、図１４の如く原稿台１００ａが解放位置で、架台トレイ１０５が引き出し位置の場合や、図示しないが原稿台１００ａが解放位置で、ドラム１０２が引き出し位置で、架台トレイ１０５が引き出し位置の場合も考えられ、このように条件が競合すると更に装置の安定性を欠く状態となる。そして、これらの競合条件が発生する場合にあっても充分に安全性を確保する手段として、装置本体１０１側にウエイト等を入れて重くする手段や、印刷装置を床に固定する手段や、装置下部周囲に転倒防止装置（踏ん張り台）を設置する手段が考えられる。
【０００８】
しかしながら、上記した手段では、装置が重くなったり、設置場所の容易な変更ができなくなったり、設置作業が必要になったりする。
【０００９】
そこで、本発明は、前記した課題を解決すべくなされたものであり、装置が重くならず、設置場所の変更が困難とならず、設置作業の必要もなく、転倒のおそれを防止できる印刷装置を提供することを目的とする。
【００１０】
【課題を解決するための手段】
本発明の第１の特徴は、装置本体内のセット位置と前記装置本体の側方から引き出される引き出し位置との間で移動自在に設けたドラムと、このドラムがセット位置に位置するか否かを検出するドラムセット検出手段と、前記ドラムをセット位置にロックするドラムロック機構と、前記装置本体の上面のセット位置と前記装置本体内を解放する解放位置との間で移動自在に設けた原稿台と、この原稿台がセット位置に位置するか否かを検出する原稿台セット検出手段と、前記原稿台をセット位置にロックする原稿台ロック機構とを有し、前記ドラムセット検出手段又は前記原稿台セット検出手段の検出出力より前記ドラムと前記原稿台のいずれか一方がセット位置に位置しない場合には、他方の前記原稿台ロック機構又は前記ドラムロック機構のロックを解除しない印刷装置であることにある。
【００１１】
この印刷装置では、ドラムが引き出し位置に位置する場合には原稿台が解放位置に移動できず、原稿台が解放位置に位置する場合にはドラムが引き出し位置に移動できず、装置の安定性を欠く条件が競合しない。
【００１２】
本発明の第２の特徴は、装置本体内のセット位置と前記装置本体の側方から引き出される引き出し位置との間で移動自在に設けたドラムと、このドラムがセット位置に位置するか否かを検出するドラムセット検出手段と、前記ドラムをセット位置にロックするドラムロック機構と、架台給紙装置本体内のセット位置と前記架台給紙装置本体の側方から引き出される引き出し位置との間で移動自在に設けた架台トレイと、この架台トレイがセット位置に位置するか否かを検出する架台トレイセット検出手段と、前記架台トレイをセット位置にロックする架台トレイロック機構とを有し、前記ドラムを引き出す前記装置本体の面と、前記架台トレイを引き出す架台給紙装置本体の面が同一であり、前記ドラムセット検出手段又は前記架台トレイセット検出手段の検出出力より前記ドラムと前記架台トレイのいずれか一方がセット位置に位置しない場合には、他方の前記架台トレイロック機構又は前記ドラムロック機構のロックを解除しない印刷装置であることにある。
【００１３】
この印刷装置では、ドラムが引き出し位置に位置する場合には架台トレイが引き出し位置に移動できず、架台トレイが引き出し位置に位置する場合にはドラムが引き出し位置に移動できず、装置の安定性を欠く条件が競合しない。
【００１４】
本発明の第３の特徴は、装置本体の上面のセット位置と前記装置本体内を解放する解放位置との間で移動自在に設けた原稿台と、この原稿台がセット位置に位置するか否かを検出する原稿台セット検出手段と、前記原稿台をセット位置にロックする原稿台ロック機構と、架台給紙装置本体内のセット位置と前記架台給紙装置本体の側方から引き出される引き出し位置との間で移動自在に設けた架台トレイと、この架台トレイがセット位置に位置するか否かを検出する架台トレイセット検出手段と、前記架台トレイをセット位置にロックする架台トレイロック機構とを有し、前記原稿台セット検出手段又は前記架台トレイセット検出手段の検出出力より前記原稿台と前記架台トレイのいずれか一方がセット位置に位置しない場合には、他方の前記架台トレイロック機構又は前記原稿台ロック機構のロックを解除しない印刷装置であることにある。
【００１５】
この印刷装置では、原稿台が解放位置に位置する場合には架台トレイが引き出し位置に移動できず、架台トレイが引き出し位置に位置する場合には原稿台が解放位置に移動できず、装置の安定性を欠く条件が競合しない。
【００１６】
本発明の第４の特徴は、装置本体内のセット位置と前記装置本体の側方から引き出される引き出し位置との間で移動自在に設けたドラムと、このドラムがセット位置に位置するか否かを検出するドラムセット検出手段と、前記ドラムをセット位置にロックするドラムロック機構と、前記装置本体の上面のセット位置と前記装置本体内を解放する解放位置との間で移動自在に設けた原稿台と、この原稿台がセット位置に位置するか否かを検出する原稿台セット検出手段と、前記原稿台をセット位置にロックする原稿台ロック機構と、架台給紙装置本体内のセット位置と前記架台給紙装置本体の側方から引き出される引き出し位置との間で移動自在に設けた架台トレイと、この架台トレイがセット位置に位置するか否かを検出する架台トレイセット検出手段と、前記架台トレイをセット位置にロックする架台トレイロック機構とを有し、前記ドラムを引き出す前記装置本体の面と、前記架台トレイを引き出す架台給紙装置本体の面が同一であり、前記ドラムセット検出手段又は前記原稿台セット検出手段又は前記架台トレイセット検出手段の検出出力より前記ドラムと前記原稿台と前記架台トレイのいずれか１つがセット位置に位置しない場合には、他の２つの前記原稿台ロック機構又は前記架台トレイロック機構又は前記ドラムロック機構のロックを解除しない印刷装置であることにある。
【００１７】
この印刷装置では、ドラムが引き出し位置に位置する場合には原稿台が解放位置に移動できず、且つ、架台トレイが引き出し位置に移動できず、又、原稿台が解放位置に位置する場合には架台トレイが引き出し位置に移動できず、且つ、ドラムが引き出し位置に移動できず、又、架台トレイが引き出し位置に位置する場合にはドラムが引き出し位置に移動できず、且つ、原稿台が解放位置に移動できず、装置の安定性を欠く条件が競合しない。
【００１８】
ここで、前記架台給紙装置本体に設けた前記架台トレイは複数であり、この内の１つでもセット位置に位置しない場合には他の前記ドラムロック機構又は前記原稿台ロック機構のロックを解除せず、又、前記ドラム又は前記原稿台がセット位置に位置しない場合には全ての架台トレイロック機構のロックを解除しないようにすることが望ましい。
【００１９】
これにより、架台トレイが複数の装置についても、装置の安定性を欠く条件が競合しないこととなる。
【００２０】
この時、ドラムを引き出す前記装置本体の面と、架台トレイを引き出す架台給紙装置本体の面が同一であり、複数の前記架台トレイのいずれか１つがセット位置に位置しない場合には、他の前記架台トレイの架台トレイロック機構のロックを解除しないようにすると良い。
【００２１】
これにより、複数の架台トレイの２つが引き出し位置に位置することがなくなる。
【００２２】
また、ドラムを引き出す前記装置本体の面と、架台トレイを引き出す架台給紙装置本体の面が同一であり、前記装置本体に設けた前記ドラムは複数であり、この内の１つでもセット位置に位置しない場合には他の前記架台トレイロック機構又は前記原稿台ロック機構のロックを解除せず、又、前記架台トレイ又は前記原稿台がセット位置に位置しない場合には全てのドラムロック機構のロックを解除しないようにしても良い。
【００２３】
これにより、ドラムが複数の装置についても、装置の安定性を欠く条件が競合しないこととなる。
【００２４】
この時、複数の前記ドラムのいずれか１つがセット位置に位置しない場合には、他の前記ドラムのドラムロック機構のロックを解除しないようにすることが望ましい。
【００２５】
これにより、複数のドラムの２つが引き出し位置に位置することがなくなる。
【００２６】
さらに、前記ドラムを引き出す前記装置本体の面と、前記架台トレイを引き出す架台給紙装置本体の面が同一であることが望ましい。
【００２７】
これにより、ドラムと架台トレイとが同じ引き出し方向であることから装置の設置条件や取り扱い性に優れている反面、同時に引き出された場合には、装置の重心移動方向が同じであることから転倒の可能性が高いが、これを防止することができる。
【００２８】
さらに又、サービスマンモードが選択されると、各セット検出手段の検出結果に拘わらず各ロック機構のロックを解除するようにすると良い。
【００２９】
これにより、原稿台やドラムや架台トレイの複数を自由に解放位置に移動させたり、引き出し位置に移動させたりできる。
【００３０】
【発明の実施の形態】
以下、本発明の一実施形態を図面に基づいて説明する。
【００３１】
図１乃至図９は本発明の一実施形態を示し、図１（Ａ）は孔版印刷装置の正面図、図１（Ｂ）は孔版印刷装置の側面図、図２は各セット検出手段の構成図、図３は各ロック機構の構成図、図４は孔版印刷装置の概略回路ブロック図、図５はロック機構のロック・ロック解除の制御フロー図、図６は転倒防止制御の詳細なフローチャート、図７（Ａ）は原稿台が解放位置に位置する状態の孔版印刷装置の正面図、図７（Ｂ）は原稿台が解放位置に位置する状態の孔版印刷装置の側面図、図８はドラムが引き出し位置に位置する状態の孔版印刷装置の側面図、図９は架台トレイが引き出し位置に位置する状態の孔版印刷装置の側面図である。
【００３２】
図１において、孔版印刷装置１は、装置本体２とこの装置本体２の下方に装着された架台給紙装置３とから構成されている。装置本体２は、印刷すべき原稿の画像データを読み取る原稿読み取り部４と、この原稿読み取り部４で読み取った画像データに基づいて孔版原紙に穿孔する製版部（図示せず）と、この製版部で作製された孔版原紙をドラム５に装着し、回転するドラム５にプレスロール（図示せず）で印刷圧を作用させながら印刷用紙Ｐを搬送して画像を印刷用紙Ｐに転写する印刷部６と、この印刷部６に本体側給紙トレイ７から印刷用紙Ｐを給紙する装置本体側給紙部８と、印刷部６で印刷された印刷用紙Ｐを排紙台９に排紙する排紙部１０と、ドラム５に装着された孔版原紙を取り除く排版部（図示せず）とを備えている。
【００３３】
架台給紙装置２は、印刷部６に印刷用紙Ｐを給紙する上側の架台トレイ１１と、同じく印刷用紙Ｐを給紙する下側の架台トレイ１２とを備えている。この２つの架台トレイ１１，１２と本体側給紙トレイ７は、選択的に印刷部６に印刷用紙Ｐを供給できるようになっている。
【００３４】
前記原稿読み取り部４は、原稿を載置するガラス製の原稿台４ａと、この原稿台４ａ内に内蔵のスキャナー（図示せず）と、原稿台４ａの上面に開閉自在に配置され、原稿を押さえる原稿押え板４ｂとを有している。原稿台４ａは、原稿を載置するスキャナー面を確保するため装置本体２の上面に配置され、且つ、装置本体２の上面のセット位置（図１（Ａ）及び図１（Ｂ）の実線位置）と装置本体２内を解放する解放位置（図１（Ａ）及び図１（Ｂ）の仮想線位置）との間で回転自在に設けられている。従来例で説明したように、孔版原紙の交換やジャム時等に、操作者が原稿台４ａを開いて各々の対応作業ができるようになっている。又、原稿台セット検出手段１５は、原稿台４ａがセット位置に位置するか否かを検出し、この検出出力は本体制御手段１６（図４に示す）に出力される。原稿台セット検出手段１５の詳しい構成は下記する。原稿台ロック手段１７は、原稿台４ａをセット位置にロックしたり、このロックを解除したりできるもので、本体制御手段１６（図４に示す）によって制御される。原稿台ロック機構１７の詳しい構成は下記する。
【００３５】
ドラム５は、装置本体２内のセット位置（図１（Ａ）の実線位置及び図１（Ｂ）の破線位置）と装置本体２の前面（側方）から引き出される引き出し位置（図１（Ｂ）の仮想線位置）との間でスライド自在に設けられている。従来例で説明したように、多色印刷時等のドラム交換やインクボトル１３の交換や印刷用紙Ｐのジャム時等に、操作者がドラム５を引き出して各々の対応作業ができるようになっている。又、ドラムセット検出手段１８は、ドラム５がセット位置に位置するか否かを検出し、この検出出力は本体制御手段１６（図４に示す）に出力される。ドラムセット検出手段１８の詳しい構成は下記する。ドラムロック手段１９は、ドラム５をセット位置にロックしたり、このロックを解除したりできるもので、本体制御手段１６（図４に示す）によって制御される。ドラムロック機構１９の詳しい構成は下記する。
【００３６】
上下位置の各架台トレイ１１、１２は、それぞれ架台給紙装置本体１４内のセット位置（図１（Ａ）及び図１（Ｂ）の破線位置）と架台給紙装置本体１４の前面（側方）から引き出される引き出し位置（図１（Ｂ）の仮想線位置）との間でスライド自在に設けられている。従来例で説明したように、印刷用紙Ｐの補給や交換を行う場合に、操作者が各架台トレイ１１、１２を引き出して各々の作業ができるようになっている。又、各架台トレイセット検出手段２０、２１は、各架台トレイ１１、１２がセット位置に位置するか否かをそれぞれ検出し、この検出出力は架台給紙装置制御手段２４（図４に示す）に出力される。各架台トレイセット検出手段２０、２１の詳しい構成は下記する。各架台トレイロック手段２２、２３は、各架台トレイ１１、１２をセット位置にロックしたり、ロック解除したりできるもので、架台給紙装置制御手段２４（図４に示す）によって制御される。各架台トレイロック機構２２、２３の詳しい構成は下記する。
【００３７】
図２において、原稿台セット検出手段１５、ドラムセット検出手段１８及び各架台トレイセット検出手段２０、２１は、それぞれ同一の構成を有し、原稿台４ａやドラム５や架台トレイ１１、１２側に設けられた検出ロッド３０と、装置本体２や架台給紙装置本体１４側に設けられたプッシュスイッチ３１とから構成されている。図２にて実線で示すように、原稿台４ａやドラム５や架台トレイ１１，１２がセット位置に位置する場合にはプッシュスイッチ３１がオンし、図２にて仮想線にて示すように、原稿台４ａやドラム５や架台トレイ１１、１２がセット位置から移動すると、プッシュスイッチ３１がオフすることによってセット位置に位置するか否かを検出する。尚、各セット検出手段１５、１８、２０、２１の構成は、種々の構成が考えられ、各検出対象がセットに位置するか否かを検出できる手段であれば良い。
【００３８】
図３において、原稿台ロック機構１７、ドラムロック機構１９及び各架台トレイロック機構２２、２３は、それぞれ同一の構成を有し、原稿台４ａやドラム５や架台トレイ２０、２１側に設けられた係止部３２と、装置本体２や架台給紙装置本体１４側に設けられた電磁ソレノイド３３と、この電磁ソレノイド３３によって可動する係止フック３４とから構成されている。原稿台４ａやドラム５や架台トレイ１１、１２がセット位置に位置する場合にあって、電磁ソレノイド３３の操作によって係止フック３４が図３にて実線で示すように係止部３２に係止するロック位置と、図３にて仮想線で示すように係止部３２に係止しないロック解除位置とに移動する。尚、各ロック機構１７、１９、２２、２３の構成は、種々の構成が考えられ、各ロック対象をセット位置でロックし、又はロック解除できる手段であれば良い。
【００３９】
次に、孔版印刷装置１の制御系を説明する。図４において、装置本体２は、本体制御手段１６とこの本体制御手段１６にサービスマンモードの選択データを入力できるサービスマン設定入力部３５とを有し、サービスマン設定入力部３５は例えば操作パネル（図示せず）に配置される。又、架台給紙装置３は架台給紙装置制御手段２４を有し、この架台給紙装置制御手段２４と本体制御手段１６とは通信手段（図示せず）を介して情報伝達可能に構成されている。本体制御手段１６は、図５に示すようにロック機構１７、１９、２２、２３の制御のタスク管理としては通常機能制御と転倒防止制御とをなすと共に、双方の制御に関してロック解除許可が得られた場合にのみ、つまり、アンド条件を満たす場合のみ原稿台ロック機構１７、ドラムロック機構１９をそれぞれ解除するよう制御すると共に、架台給紙装置制御手段２４にロック解除指令を出力する。架台給紙装置制御手段２４は、本体制御手段１６からのロック解除指令を受けた場合に架台トレイロック機構２２、２３を解除するよう制御する。
【００４０】
上記した通常機能制御を具体的に説明すると、ドラムロック機構１７に関しては、ドラム５の引き出し許容がドラム５の所定の停止位置のみに限定されることから印刷動作中や着版動作中や排版動作中は引き出しできないようにロック解除禁止状態に、それ以外の時はロック解除許可状態に制御される（図５のタスク（ｂ））。通常機能制御の原稿台ロック機構１９に関しては、製版動作中に原稿台４ａが開かれると、画像読み取りに支障を来たし、又、印刷動作中に原稿台４ａが開かれると、危険で緊急停止の対象となり、又、原稿押さえ板４ｂが開いている時も原稿台４ａが開かれると、危険であることから、製版動作中、印刷動作中、原稿押さえ板４ｂの開放中は解放できないようにロック解除禁止状態に、それ以外の時にロック解除許可状態に制御される（図５のタスク（ｃ））。通常機能制御の架台トレイロック機構２２、２３に関しては、架台給紙装置３の給紙を利用した印刷動作中に架台トレイ１１、１２が引き出されると給紙ジャムの発生等を引き起こすことから上記した印刷動作中は架台トレイ１１、１２の引き出しができないようにロック解除禁止状態に、それ以外の時はロック解除許可状態に制御される（図５のタスク（ｄ））。
【００４１】
上記した転倒防止制御の内容は、図６のフローに示されており、次にこれを説明する。図６において、サービスマンモードが設定されているか否かがチェックされる（ステップＳ１）。先ず、サービスマンモードが設定されていない場合について説明する。図８に示すように、ドラム５が引き出し位置に位置すると、ドラムセット検出手段１８の検出出力によりドラム５がセット位置に位置しないと判断し（ステップＳ２）、原稿台４ａのロック解除禁止をタスク（ｃ）に出力すると共に架台トレイ１１、１２のロック解除禁止をタスク（ｄ）に出力する（ステップＳ３）。これにより、通常機能制御の如何にかかわらず原稿台ロック機構１７及び架台トレイロック機構２２，２３がロック状態にされる。従って、操作者が原稿台４ａを開こうとしても開かず、又、架台トレイ１１、１２を引き出そうとしても引き出すことができない。
【００４２】
図７（Ａ）、（Ｂ）に示すように、原稿台４ａが解放位置に位置すると、原稿台セット検出手段１５の検出出力により原稿台４ａがセット位置に位置しないと判断し（ステップＳ４）、ドラム５のロック解除禁止をタスク（ｂ）に出力すると共に架台トレイ１１、１２のロック解除禁止をタスク（ｄ）に出力する（ステップＳ５）。これにより、通常機能制御の如何にかかわらずドラムロック機構１９及び架台トレイロック機構２２，２３がロック状態にされる。従って、操作者がドラム５を引き出そうとしても引き出せず、又、架台トレイ１１、１２を引き出そうとしても引き出すことができない。
【００４３】
図９に示すように、架台トレイ１１、１２の１つが引き出し位置に位置すると、架台トレイセット検出手段２０又は架台トレイセット検出手段２１の検出出力により架台トレイ１１又は架台トレイ１２がセット位置に位置しないと判断し（ステップＳ６）、原稿台４ａのロック解除禁止をタスク（ｃ）に出力すると共にドラム５のロック解除禁止をタスク（ｂ）に出力する（ステップＳ７）。これにより、通常機能制御の如何にかかわらず原稿台ロック機構１７及びドラムロック機構１９がロック状態にされる。従って、操作者が原稿台４ａを開こうとしても開かず、又、ドラム５を引き出そうとしても引き出すことができない。
【００４４】
又、サービスマンモードが設定されていると（ステップＳ１）、原稿台４ａのロック解除許可をタスク（ｃ）に、ドラム５のロック解除許可をタスク（ｂ）に、架台トレイ１１、１２のロック解除許可をタスク（ｄ）にそれぞれ出力する（ステップＳ８）。これにより、通常機能制御の各結果がロック解除許可であれば、操作者が原稿台４ａを開き、ドラム５を引き出し、各架台トレイ１１、１２を引き出しできる。
【００４５】
以上、サービスマンモードでない場合には、ドラム５が引き出し位置に位置する場合には原稿台４ａが解放位置に移動できず、且つ、架台トレイ１１、１２が引き出し位置に移動できず、又、原稿台４ａが解放位置に位置する場合には架台トレイ１１、１２が引き出し位置に移動できず、且つ、ドラム５が引き出し位置に移動できず、又、架台トレイ１１、１２が引き出し位置に位置する場合にはドラム５が引き出し位置に移動できず、且つ、原稿台４ａが解放位置に移動できず、装置の安定性を欠く条件が競合することを防止できる。従って、ドラム５と原稿台４ａと架台トレイ１１、１２とが移動できる装置にあって、装置を重くしたり、設置場所の変更が困難になることもなく、設置作業の必要もなく転倒のおそれを防止できる。
【００４６】
また、サービスマンモードである場合には、原稿台４ａ，ドラム５，架台トレイ１１、１２の複数の組合せを自由に解放位置に移動させたり、引き出し位置に移動させたりできるため、サービスマンが定期点検や修理を行う上で不便を感じたり、支障が生じたりすることがない。
【００４７】
又、上記実施形態にあって、架台給紙装置本体１４に設けた架台トレイ１１、１２は２つ（複数）であり、この内の１つでもセット位置に位置しない場合には他のドラムロック機構１９及び原稿台ロック機構１７のロックを解除せず、又、ドラム５又は原稿台４がセット位置に位置しない場合には全ての架台トレイロック機構２２、２３のロックを解除しないように制御している。従って、架台トレイ１１、１２が２つ（複数）の装置についても、装置の安定性を欠く条件が競合しないようにすることができる。尚、架台トレイの数が３以上でも同様に制御すれば、装置の安定性を保持できる。この制御内容は、適宜に下記の変形例の印刷装置に適用できる。
【００４８】
又、上記実施形態にあって、２つ（複数）の架台トレイ１１、１２のいずれか１つがセット位置に位置しない場合には、他の架台トレイ１１、１２の架台トレイロック機構２２、２３のロックを解除しないように制御する。このように制御すれば、２つ（複数）の架台トレイ１１、１２の２つが引き出し位置に位置することがないため、２つ（複数）の架台トレイ１１、１２による転倒のおそれを防止できる。尚、架台トレイの数が３以上でも同様に制御すれば、転倒のおそれを防止できる。この制御内容は、適宜に下記の変形例の印刷装置に適用できる。
【００４９】
又、上記実施形態にあっては、ドラム５を引き出す装置本体２の面と、架台トレイ１１、１２を引き出す架台給紙装置本体１４の面が同一の面である前面に設定されているので、ドラム５と架台トレイ１１、１２とが同じ引き出し方向であることから装置の設置条件や取り扱い性に優れている反面、同時に引き出された場合には、装置の重心移動方向が同じであることから転倒の可能性が高いが、これを防止できる。
【００５０】
上記実施形態では、ドラム５と原稿台４ａと架台トレイ１１，１２を有し、これらが共に装置の重心移動をもたらす移動をする装置について説明したが、以下、他の変形例について説明する。
【００５１】
即ち、ドラムと原稿台のみが装置の重心移動をもたらす移動をする装置にあっては、ドラムセット検出手段又は原稿台セット検出手段の検出出力よりドラムと原稿台のいずれか一方がセット位置に位置しない場合には、他方の原稿台ロック機構又はドラムロック機構のロックを解除しないように制御する。このように制御すれば、ドラムが引き出し位置に位置する場合には原稿台が解放位置に移動できず、原稿台が解放位置に位置する場合にはドラムが引き出し位置に移動できず、装置の安定性を欠く条件が競合しない。従って、ドラムと原稿台が移動できる装置にあって、装置を重くしたり、設置場所の変更が困難になることもなく、設置作業の必要もなく転倒のおそれを防止できる。
【００５２】
又、ドラムと架台トレイのみが装置の重心移動をもたらす移動をする装置にあっては、ドラムセット検出手段又は架台トレイセット検出手段の検出出力よりドラムと架台トレイのいずれか一方がセット位置に位置しない場合には、他方の架台トレイロック機構又はドラムロック機構のロックを解除しないよう制御する。このように制御すれば、ドラムが引き出し位置に位置する場合には架台トレイが引き出し位置に移動できず、架台トレイが引き出し位置に位置する場合にはドラムが引き出し位置に移動できず、装置の安定性を欠く条件が競合しない。従って、ドラムと架台トレイが移動できる装置にあって、装置を重くしたり、設置場所の変更が困難になることもなく、設置作業の必要もなく転倒のおそれを防止できる。
【００５３】
又、原稿台と架台トレイのみが装置の重心移動をもたらす移動をする装置にあっては、原稿台セット検出手段又は架台トレイセット検出手段の検出出力より原稿台と架台トレイのいずれか一方がセット位置に位置しない場合には、他方の架台トレイロック機構又は原稿台ロック機構のロックを解除しないよう制御する。このように制御すれば、原稿台が解放位置に位置する場合には架台トレイが引き出し位置に移動できず、架台トレイが引き出し位置に位置する場合には原稿台が解放位置に移動できず、装置の安定性を欠く条件が競合しない。従って、原稿台や架台トレイが移動できる装置にあって、装置を重くしたり、設置場所の変更が困難になることもなく、設置作業の必要もなく転倒のおそれを防止できる。
【００５４】
一方、前記実施形態及び変形例では、ドラムは孔版原紙を装着する版胴であっったが、ドラムは版胴に装着された孔版原紙のインク画像を一旦転写される転写胴や、印刷用紙の先端をクランプして版胴や転写胴に印刷圧を作用させつつ印刷用紙を搬送する紙胴や圧胴であっても良い。又、多色印刷のために複数の版胴を有する装置もある。そして、これらドラム（版胴、転写胴、紙胴、圧胴）を複数有し、これら複数のドラムが装置本体に対して引き出し自在に構成された装置については、上記したように架台トレイを複数有する場合と同様に制御する。
【００５５】
つまり、複数のドラムの内の１つでもセット位置に位置しない場合には他の原稿台ロック機構１７や架台トレイロックロック機構２２、２３のロックを解除せず、又、原稿台４又は架台トレイ１１、１２がセット位置に位置しない場合には全てのドラムロック機構のロックを解除しないように制御する。このように制御すれば、ドラムが複数の場合にあっても、装置の安定性を欠く条件が競合しないようにすることができ、転倒のおそれを防止できる。又、複数のドラムのいずれか１つがセット位置に位置しない場合には、他のドラムのドラムロック機構のロックを解除しないように制御する。このように制御すれば、複数のドラムの内の２つ以上が引き出し位置に位置することがないため、転倒のおそれを防止できる。
【００５６】
尚、上記実施形態では孔版印刷装置について説明したが、孔版以外の印刷装置についても本発明は同様に適用できるものである。
【００５７】
【発明の効果】
以上説明したように、本発明の印刷装置によれば、ドラムと原稿台のみが装置の重心移動をもたらす移動をする装置にあっては、ドラムセット検出手段又は原稿台セット検出手段の検出出力よりドラムと原稿台のいずれか一方がセット位置に位置しない場合には、他方の原稿台ロック機構又はドラムロック機構のロックを解除しないよう構成したので、ドラムが引き出し位置に位置する場合には原稿台が解放位置に移動できず、原稿台が解放位置に位置する場合にはドラムが引き出し位置に移動できず、装置の安定性を欠く条件が競合しないため、ドラムと原稿台が移動できる装置にあって、装置を重くしたり、設置場所の変更が困難になることもなく、設置作業の必要もなく転倒のおそれを防止できる。
【００５８】
また、本発明の印刷装置によれば、ドラムと架台トレイのみが装置の重心移動をもたらす移動をする装置にあっては、ドラムセット検出手段又は架台トレイセット検出手段の検出出力よりドラムと架台トレイのいずれか一方がセット位置に位置しない場合には、他方の架台トレイロック機構又はドラムロック機構のロックを解除しないよう構成したので、ドラムが引き出し位置に位置する場合には架台トレイが引き出し位置に移動できず、架台トレイが引き出し位置に位置する場合にはドラムが引き出し位置に移動できず、装置の安定性を欠く条件が競合しないため、ドラムと架台トレイが移動できる装置にあって、装置を重くしたり、設置場所の変更が困難になることもなく、設置作業の必要もなく転倒のおそれを防止できる。
【００５９】
さらに、本発明の印刷装置によれば、原稿台と架台トレイのみが装置の重心移動をもたらす移動をする装置にあっては、原稿台セット検出手段又は架台トレイセット検出手段の検出出力より原稿台と架台トレイのいずれか一方がセット位置に位置しない場合には、他方の架台トレイロック機構又は原稿台ロック機構のロックを解除しないよう構成したので、原稿台が解放位置に位置する場合には架台トレイが引き出し位置に移動できず、架台トレイが引き出し位置に位置する場合には原稿台が解放位置に移動できず、装置の安定性を欠く条件が競合しないため、原稿台や架台トレイが移動できる装置にあって、装置を重くしたり、設置場所の変更が困難になることもなく、設置作業の必要もなく転倒のおそれを防止できる。
【００６０】
さらに又、本発明の印刷装置によれば、ドラムと原稿台と架台トレイが装置の重心移動をもたらす移動をする装置にあっては、ドラムセット検出手段又は原稿台セット検出手段又は架台トレイセット検出手段の検出出力よりドラムと原稿台と架台トレイのいずれか１つがセット位置に位置しない場合には、他の２つの原稿台ロック機構又は架台トレイロック機構又はドラムロック機構のロックを解除しないよう構成したので、ドラムが引き出し位置に位置する場合には原稿台が解放位置に移動できず、且つ、架台トレイが引き出し位置に移動できず、又、原稿台が解放位置に位置する場合には架台トレイが引き出し位置に移動できず、且つ、ドラムが引き出し位置に移動できず、又、架台トレイが引き出し位置に位置する場合にはドラムが引き出し位置に移動できず、且つ、原稿台が解放位置に移動できず、装置の安定性を欠く条件が競合しないため、ドラムと原稿台と架台トレイとが移動できる装置にあって、装置を重くしたり、設置場所の変更が困難になることもなく、設置作業の必要もなく転倒のおそれを防止できる。
【００６１】
また、本発明の印刷装置によれば、架台給紙装置本体に設けた前記架台トレイは複数であり、この内の１つでもセット位置に位置しない場合には他のドラムロック機構又は原稿台ロック機構のロックを解除せず、又、ドラム又は原稿台がセット位置に位置しない場合には全ての架台トレイロック機構のロックを解除しないよう構成したので、架台トレイが複数の装置についても、装置の安定性を欠く条件が競合しない。
【００６２】
さらに、本発明の印刷装置によれば、ドラムを引き出す前記装置本体の面と、架台トレイを引き出す架台給紙装置本体の面が同一であり、複数の架台トレイのいずれか１つがセット位置に位置しない場合には、他の架台トレイの架台トレイロック機構のロックを解除しないよう構成したので、複数の架台トレイの２つが引き出し位置に位置することがないため、複数の架台トレイによる転倒のおそれを防止できる。
【００６３】
また、本発明の印刷装置によれば、ドラムを引き出す前記装置本体の面と、架台トレイを引き出す架台給紙装置本体の面が同一であり、装置本体に設けたドラムは複数であり、この内の１つでもセット位置に位置しない場合には、他の架台トレイロック機構又は原稿台ロック機構のロックを解除せず、又、架台トレイ又は原稿台がセット位置に位置しない場合には全てのドラムロック機構のロックを解除しないようにするので、ドラムが複数の装置についても、装置の安定性を欠く条件が競合しない。
【００６４】
さらにまた、本発明の印刷装置によれば、複数のドラムのいずれか１つがセット位置に位置しない場合には、他のドラムのドラムロック機構のロックを解除しないよう構成したので、複数のドラムの２つが引き出し位置に位置することがないため、複数のドラムによる転倒のおそれを防止できる。
【００６５】
また、本発明の印刷装置によれば、前記ドラムを引き出す前記装置本体の面と、前記架台トレイを引き出す架台給紙装置本体の面が同一であるので、ドラムと架台トレイとが同じ引き出し方向であることから装置の設置条件や取り扱い性に優れている反面、同時に引き出された場合には、装置の重心移動方向が同じであることから転倒の可能性が高いが、これを防止できる。
【００６６】
また、本発明の印刷装置によれば、サービスマンモードが選択されると、各セット検出手段の検出結果に拘わらず各ロック機構のロックを解除するよう構成したので、原稿台やドラムや架台トレイの複数を自由に解放位置に移動させたり、引き出し位置に移動させたりできるため、サービスマンが定期点検や修理を行う上で不便を感じたり、支障が生じたりすることがない。
【図面の簡単な説明】
【図１】本発明の一実施形態を示し、（Ａ）は孔版印刷装置の正面図、（Ｂ）は孔版印刷装置の側面図である。
【図２】本発明の一実施形態を示し、各セット検出手段の構成図である。
【図３】本発明の一実施形態を示し、各ロック機構の構成面図である。
【図４】本発明の一実施形態を示し、孔版印刷装置の概略回路ブロック図である。
【図５】本発明の一実施形態を示し、ロック機構のロック・ロック解除の制御フロー図である。
【図６】本発明の一実施形態を示し、転倒防止制御の詳細なフローチャートである。
【図７】本発明の一実施形態を示し、（Ａ）は原稿台が解放位置に位置する状態の孔版印刷装置の正面図、（Ｂ）は原稿台が解放位置に位置する状態の孔版印刷装置の側面図である。
【図８】本発明の一実施形態を示し、ドラムが引き出し位置に位置する状態の孔版印刷装置の側面図である。
【図９】本発明の一実施形態を示し、架台トレイが引き出し位置に位置する状態の孔版印刷装置の側面図である。
【図１０】従来例を示し、孔版印刷装置の正面図である。
【図１１】従来例を示し、孔版印刷装置の側面図である。
【図１２】従来例を示し、ドラムが引き出し位置で、原稿台が解放位置に位置する状態の孔版印刷装置の側面図である。
【図１３】従来例を示し、ドラム及び架台トレイが引き出し位置に位置する状態の孔版印刷装置の側面図である。
【図１４】従来例を示し、原稿台が解放位置で、架台トレイが引き出し位置に位置する状態の孔版印刷装置の側面図である。
【符号の説明】
１  孔版印刷装置（印刷装置）
２  装置本体
３  架台給紙装置
４ａ  原稿台
５  ドラム
１１、１２  架台トレイ
１４  架台給紙装置本体
１５  原稿台セット検出手段
１７  原稿台ロック機構
１８  ドラムセット検出手段
１９  ドラムロック機構
２０、２１  架台トレイセット検出手段
２２、２３  架台トレイロック機構
【図１】
0003871861.tif 000002
【図２】
0003871861.tif 000003
【図３】
0003871861.tif 000004
【図４】
0003871861.tif 000005
【図５】
0003871861.tif 000006
【図６】
0003871861.tif 000007
【図７】
0003871861.tif 000008
【図８】
0003871861.tif 000009
【図９】
0003871861.tif 000010
【図１０】
0003871861.tif 000011
【図１１】
0003871861.tif 000012
【図１２】
0003871861.tif 000013
【図１３】
0003871861.tif 000014
【図１４】
0003871861.tif 000015